(57)【特許請求の範囲】
【請求項１】
データ送信方法であって、
アクセスポイントにより、プライマリチャネルを含んでいるチャネル上でレガシーステーションにより送信された送信要求（ＲＴＳ）フレームを受信するステップ(101)と、
前記アクセスポイントにより、前記レガシーステーションが、送信可（ＣＴＳ）フレームに従って、前記プライマリチャネルを含んでいる前記チャネル上でデータを送信することをイネーブルし、新しいステーションが前記ＣＴＳフレームに従って、前記レガシーステーションにより占有されていないセカンダリチャネル上で、データを送信することをイネーブルするために、前記プライマリチャネルを含んでいる前記チャネル上で、新しいステーションスケジューリング指示情報を含んでいるＣＴＳフレームを前記レガシーステーション及び前記新しいステーションに送信するステップ(102)と、
前記アクセスポイントにより、前記ＣＴＳフレームに従って前記新しいステーションによって送信された、前記レガシーステーションにより占有されていないセカンダリチャネル上のデータを受信するステップと、
を具備し、前記新しいステーションスケジューリング指示情報は、指示識別サイトの指示状態情報を含み、前記指示状態情報は、前記レガシーステーションが前記ＣＴＳフレームに従って前記プライマリチャネルを含んでいる前記チャネル上で前記データを送信する条件下において、前記新しいステーションが前記ＣＴＳフレームに従って前記レガシーステーションにより占有されていないセカンダリチャネル上でデータを送信するか否かを示すために使用され、前記アクセスポイントは、前記ＣＴＳフレームの予約ビット又は再利用可能ビットを使用することにより、前記新しいステーションをスケジュールすることを特徴とするデータ送信方法。
【請求項２】
前記レガシーステーション及び前記新しいステーションがデータを送信した後、前記方法は、
前記アクセスポイントにより、第１アクノリッジフレームを、前記プライマリチャネルを含んでいる前記チャネル上で、前記レガシーステーションに、送信するステップであって、前記第１アクノリッジフレームは、前記レガシーステーションの前記データが正しく受信されたか否かを示すために使用される情報を含むステップと、
前記アクセスポイントにより、第２アクノリッジフレームを、前記レガシーステーションにより占有されていない前記セカンダリチャネル上で、前記新しいステーションに送信するステップであって、前記第２アクノリッジフレームは、前記新しいステーションの前記データが正しく受信されたか否かを示すために使用される情報を含むステップと、
をさらに具備することを特徴とする請求項１に記載の方法。
【請求項３】
データ送信方法であって、
新しいステーションにより、前記新しいステーションが送信可（ＣＴＳ）フレームに従って、レガシーステーションにより占有されていないセカンダリチャネル上で、データを送信することをイネーブルするために、プライマリチャネルを含んでいるチャネル上でアクセスポイントにより送信された、新しいステーションスケジューリング指示情報を含んでいるＣＴＳフレームを受信するステップ(201)と、
前記新しいステーションにより、前記ＣＴＳフレームに従って、レガシーステーションにより占有されていないセカンダリチャネル上でデータを送信するステップ(202)と、
を具備し、前記新しいステーションスケジューリング指示情報は、指示識別サイトの指示状態情報を含み、前記指示状態情報は、前記レガシーステーションが前記ＣＴＳフレームに従って前記プライマリチャネルを含んでいる前記チャネル上で前記データを送信する条件下において、前記新しいステーションが前記ＣＴＳフレームに従って前記レガシーステーションにより占有されていないセカンダリチャネル上でデータを送信するか否かを示すために使用され、前記アクセスポイントは、前記ＣＴＳフレームの予約ビット又は再利用可能ビットを使用することにより、前記新しいステーションをスケジュールすることを特徴とするデータ送信方法。
【請求項４】
データ送信装置であって、
プライマリチャネルを含んでいるチャネル上でレガシーステーションにより送信された送信要求（ＲＴＳ）フレームを受信するように構成されている受信モジュール(11)と、
前記レガシーステーションが、送信可（ＣＴＳ）フレームに従って、前記プライマリチャネルを含んでいる前記チャネル上で、データを送信することをイネーブルし、新しいステーションが、前記ＣＴＳフレームに従って、前記レガシーステーションにより占有されていないセカンダリチャネル上で、データを送信することをイネーブルするために、前記プライマリチャネルを含んでいる前記チャネル上で、新しいステーションスケジューリング指示情報を含んでいるＣＴＳフレームを前記レガシーステーション及び新しいステーションに送信するように構成されている送信モジュール(12)と、
を具備し、前記受信モジュール(11)は、前記ＣＴＳフレームに従って前記新しいステーションによって送信された、前記レガシーステーションにより占有されていないセカンダリチャネル上のデータをさらに受信し、前記新しいステーションスケジューリング指示情報は、指示識別サイトの指示状態情報を含み、前記指示状態情報は、前記レガシーステーションが前記ＣＴＳフレームに従って前記プライマリチャネルを含んでいる前記チャネル上で前記データを送信する条件下において、前記新しいステーションが前記ＣＴＳフレームに従って前記レガシーステーションにより占有されていないセカンダリチャネル上でデータを送信するか否かを示すために使用され、前記データ送信装置は、前記ＣＴＳフレームの予約ビット又は再利用可能ビットを使用することにより、前記新しいステーションをスケジュールすることを特徴とするデータ送信装置。
【請求項５】
前記送信モジュール(12)は、
前記レガシーステーションと前記新しいステーションが前記データを送信した後に、前記プライマリチャネルを含んでいる前記チャネル上で、前記レガシーステーションに第１アクノリッジフレームを送信し、
前記レガシーステーションにより占有されていない前記セカンダリチャネル上で、前記新しいステーションに、第２アクノリッジフレームを送信する
ようにさらに構成され、
前記第１アクノリッジフレームは、前記レガシーステーションの前記データが正しく受信されたか否かを示すために使用される情報を含んでおり、
前記第２アクノリッジフレームは、前記新しいステーションの前記データが正しく受信されたか否かを示すために使用される情報を含んでいることを特徴とする請求項４に記載の装置。
【請求項６】
データ送信装置であって、
前記データ送信装置が、送信可（ＣＴＳ）フレームに従って、レガシーステーションにより占有されていないセカンダリチャネル上で、データを送信することをイネーブルするために、プライマリチャネルを含んでいるチャネル上でアクセスポイントにより送信された、新しいステーションスケジューリング指示情報を含んでいるＣＴＳフレームを受信するように構成されている受信モジュール(21)と、
前記ＣＴＳフレームに従って、レガシーステーションにより占有されていないセカンダリチャネル上でデータを送信するように構成されている送信モジュール(22)と、
を具備し、前記新しいステーションスケジューリング指示情報は、指示識別サイトの指示状態情報を含み、前記指示状態情報は、前記レガシーステーションが前記ＣＴＳフレームに従って前記プライマリチャネルを含んでいる前記チャネル上で前記データを送信する条件下において、前記データ送信装置が前記ＣＴＳフレームに従って前記レガシーステーションにより占有されていないセカンダリチャネル上でデータを送信するか否かを示すために使用され、前記アクセスポイントは、前記ＣＴＳフレームの予約ビット又は再利用可能ビットを使用することにより、前記データ送信装置をスケジュールすることを特徴とするデータ送信装置。
【発明の詳細な説明】
【技術分野】
【０００１】
本発明の実施形態は、通信技術に関連し、特に、データ送信方法、装置、及びシステムに関する。
【背景技術】
【０００２】
ワイヤレス・ローカル・アクセス・ネットワーク(Wireless local access network, WLANと称す)の規格の発展の過程において、重要な特性は、下位互換性であり、すなわち、新しいアクセスポイント(Access Point、以降ＡＰと称す)及びステーション(STA)は、古いフォーマットにおいて送信されることができ、古いＳＴＡは、通常新しいＡＰのもとで通信可能である。直交周波数分割多重(orthogonal frequency division multiplexing, 以下ＯＦＤＭと称す)システムのＷＬＡＮ規格発展過程において、前記帯域幅は、次第に広くなってきている。２０ＭＨｚの帯域幅が初期のIEEE 802.11aにおいて採用され、IEEE 802.11nにおいて、前記帯域幅は、４０ＭＨｚまで拡張され、前記帯域幅は、IEEE 802.11acにおいて、８０ＭＨｚと１６０ＭＨｚ（８０＋８０ＭＨｚ）にさらに拡張され、将来のＷＬＡＮ規格においては、さらに広い通信帯域幅が採用され得る。ネットワークは新しい規格に適合するために更新され、元のデバイスも更新処理において通常互換性がある。ネットワークが更新されると、例えば、IEEE 802.11nネットワークからIEEE 802.11acネットワークに更新されると、新旧の２つのステーションが存在することとなり、古いステーションは、レガシーＳＴＡであり、ネットワークが更新される前であり、かつ、更新前の規格、例えば、規格IEEE 802.11nをサポートするステーションであり、新しいステーションは、新たに追加されたステーションであり、ネットワークが更新された後に配置されるステーションであり、例えば、IEEE 802.11nとIEEE 802.11acの両方をサポートする。
【０００３】
しかし、どんなに全体の通信帯域幅が拡張されたとしても、プライマリチャネルと、前記プライマリチャネル以上のセカンダリチャネルと、が存在する。通信処理において、新しいステーションと古いステーションの双方とも、プライマリチャネルを含んでいるチャネルを選択してデータを送信しなければならない。レガシーＳＴＡによりサポートされることができる帯域幅は比較的小さいが、前記新しいステーションによりサポートされることのできる帯域幅は、比較的大きいため、古いステーションがＡＰにデータを送信する場合に、帯域幅リソースは、深刻に浪費される。
【発明の概要】
【課題を解決するための手段】
【０００４】
本発明の実施形態は、互換性のあるモード下でアップリンクＯＦＤＭＡデータ送信を実施し、レガシーＳＴＡデータ送信により生じる帯域幅の浪費の問題を解決するために使用されるデータ送信方法、装置、及びシステムを提供する。
【０００５】
第１の態様において、本発明の前記実施形態は、
プライマリチャネルを含んでいるチャネル上でレガシーＳＴＡにより送信された(RTS)フレームの送信要求を受信するステップと、
前記レガシーＳＴＡが、指示フレームに従って、前記プライマリチャネルを含んでいる前記チャネル上でデータを送信することをイネーブルし、新しいステーションが前記指示フレームに従って、前記レガシーＳＴＡにより占有されていないセカンダリチャネル上で、データを送信することをイネーブルするために、指示フレームを、前記レガシーＳＴＡ及び前記新しいステーションに送信するステップと、
を含んでいるデータ送信方法を提供する。
【０００６】
前記第１の態様の第１の可能な実施方法において、前記レガシーＳＴＡが、指示フレームに従って、前記プライマリチャネルを含んでいる前記チャネル上でデータを送信することをイネーブルし、新しいステーションが前記指示フレームに従って、前記レガシーＳＴＡにより占有されていないセカンダリチャネル上で、データを送信することをイネーブルするために、指示フレームを、前記レガシーＳＴＡ及び前記新しいステーションに送信する前記ステップは、
前記レガシーＳＴＡがＣＴＳフレームに従って、前記プライマリチャネルを含んでいる前記チャネル上で、データを送信することをイネーブルするために、送信可（ＣＴＳ）フレームを前記レガシーＳＴＡに前記プライマリチャネルを含んでいる前記チャネル上で送信するステップと、
前記新しいステーションがスケジューリングフレームに従って、前記レガシーＳＴＡにより占有されていない前記セカンダリチャネル上で、データを送信することをイネーブルするために、前記レガシーＳＴＡにより占有されていない前記セカンダリチャネル上で、前記新しいステーションに、スケジューリングフレームを送信するステップと、
を具備する。
【０００７】
前記第１の態様の前記第１の可能な実施方法と組み合わせて、前記第１の態様の第２の可能な実施方法において、前記新しいステーションがスケジューリングフレームに従って、前記レガシーＳＴＡにより占有されていない前記セカンダリチャネル上で、データを送信することをイネーブルするために、前記レガシーＳＴＡにより占有されていない前記セカンダリチャネル上で、前記新しいステーションに、スケジューリングフレームを送信する前記ステップは、
識別子に従って前記新しいステーションがスケジュールされているかどうかを判定した後に、前記レガシーＳＴＡにより占有されていない前記セカンダリチャネル上で、前記新しいステーションがデータを送信することをイネーブルするために、前記レガシーＳＴＡにより占有されていない前記セカンダリチャネル上で、前記新しいステーションの識別子を含んでいる前記スケジューリングフレームを前記新しいステーションに送信するステップ、又は、
データ送信要求に従って、新しいステーションのグループが前記レガシーＳＴＡにより占有されていない前記セカンダリチャネル上で、データを送信することをイネーブルするために、スケジュールできる新しいステーションのグループの識別子が含まれている前記スケジューリングフレームを前記新しいステーションに送信するステップ、
を具備する。
【０００８】
前記第１の態様と組み合わせて、前記第１の態様の第３の可能な実施方法において、前記レガシーＳＴＡが、指示フレームに従って、前記プライマリチャネルを含んでいる前記チャネル上でデータを送信することをイネーブルし、新しいステーションが前記指示フレームに従って、前記レガシーＳＴＡにより占有されていないセカンダリチャネル上で、データを送信することをイネーブルするために、指示フレームを、前記レガシーＳＴＡ及び前記新しいステーションに送信する前記ステップは、
前記レガシーＳＴＡが、前記ＣＴＳフレームに従って、前記プライマリチャネルを含んでいる前記チャネル上で、データを送信することをイネーブルし、前記新しいステーションが、前記ＣＴＳフレームに従って、前記レガシーＳＴＡにより占有されていない前記セカンダリチャネル上で、データを送信することをイネーブルするために、新しいステーションスケジューリング指示情報を含んでいるＣＴＳフレームを、前記プライマリチャネルを含んでいる前記チャネル上で、前記レガシーＳＴＡと前記新しいステーションに送信するステップ
を具備する。
【０００９】
前記第１の態様の前記第３の可能な実施方法と組み合わせて、前記第１の態様の第４の可能な実施方法において、前記新しいステーションスケジューリング指示情報は、
スケジュールされる前記新しいステーションの識別子、又は、
スケジュールできる新しいステーションのグループの識別子、又は、
指示識別サイトの指示状態情報、
を具備する。
【００１０】
前記第１の態様から第１の態様の前記第４の可能な実施方法までのいずれか一つの方法と組み合わせて、前記第１の態様の第５の可能な実施方法において、前記レガシーＳＴＡ及び前記新しいステーションがデータを送信した後、前記方法は、
第１アクノリッジフレームを、前記プライマリチャネルを含んでいる前記チャネル上で、前記レガシーＳＴＡに、送信するステップであって、前記第１アクノリッジフレームは、前記レガシーＳＴＡの前記データが正しく受信されたか否かを示すために使用される情報を含むステップと、
第２アクノリッジフレームを、前記レガシーＳＴＡにより占有されていない前記セカンダリチャネル上で、前記新しいステーションに送信するステップであって、前記第２アクノリッジフレームは、前記新しいステーションの前記データが正しく受信されたか否かを示すために使用される情報を含むステップと、
をさらに具備する。
【００１１】
前記第１の態様の第５の可能な実施方法と組み合わせて、前記第１の態様の第６の可能な実施方法において、前記指示フレーム及び／又はアクノリッジフレームは、ＯＦＤＭＡ方式で送信される。
【００１２】
第１の態様から第１の態様の前記第４の可能な実施方法までのいずれか１つの方法と組み合わせて、第１の態様の第７の可能な実施方法において、前記指示フレームは、前記レガシーＳＴＡにより占有されている帯域幅と予約持続時間、及び／又は、前記新しいステーションにより使用されることができる帯域幅と送信持続時間をさらに具備する。
【００１３】
第２の態様において、本発明の前記実施形態は、
アクセスポイントにより送信された指示フレームを受信するステップと、
前記指示フレームに従って、レガシーＳＴＡにより占有されていないセカンダリチャネル上でデータを送信するステップと、
を具備するデータ送信方法を提供する。
【００１４】
前記第２の態様の第１の可能な実施方法において、アクセスポイントにより送信された指示フレームを受信し、前記指示フレームに従って、レガシーＳＴＡにより占有されていないセカンダリチャネル上でデータを送信する前記ステップは、
前記レガシーＳＴＡにより占有されていない前記セカンダリチャネル上で、前記アクセスポイントにより送信されたスケジューリングフレームを受信するステップと、
前記スケジューリングフレームに従って、前記レガシーＳＴＡにより占有されていない前記セカンダリチャネル上で、データを送信するステップと、
を具備する。
【００１５】
前記第２の態様の前記第１の可能な実施方法と組み合わせて、前記第２の態様の第２の可能な実施方法において、前記レガシーＳＴＡにより占有されていない前記セカンダリチャネル上で、前記アクセスポイントにより送信されたスケジューリングフレームを受信し、前記スケジューリングフレームに従って、前記レガシーＳＴＡにより占有されていない前記セカンダリチャネル上で、データを送信する前記ステップは、
新しいステーションの識別子を含むとともに、前記レガシーＳＴＡにより占有されていない前記セカンダリチャネル上で、前記アクセスポイントにより送信されたスケジューリングフレームを受信するステップ及び、前記識別子に従って、前記新しいステーションがスケジュールされているかどうかを判定した後に、前記レガシーＳＴＡにより占有されていない前記セカンダリチャネル上で、データを送信するステップ、又は、
スケジュールできる新しいステーションのグループの識別子を含んでいる前記アクセスポイントにより送信された前記スケジューリングフレームを受信するステップ及び、データ送信要求に従って、前記レガシーＳＴＡにより占有されていない前記セカンダリチャネル上で、データを送信するステップ、
を具備する。
【００１６】
前記第２の態様と組み合わせて、前記第２の態様の第３の可能な実施方法において、アクセスポイントにより送信された指示フレームを受信し、前記指示フレームに従って、レガシーＳＴＡにより占有されていないセカンダリチャネル上でデータを送信する前記ステップは、
プライマリチャネルを含んでいるチャネル上で、前記アクセスポイントにより送信された新しいステーションスケジューリング指示情報を含んでいるＣＴＳフレームを受信するステップと、
前記ＣＴＳフレームに従って、前記レガシーＳＴＡにより占有されていない前記セカンダリチャネル上で、データを送信するステップと、
を具備する。
【００１７】
第２の態様の第３の可能な実施方法と組み合わせて、前記第２の態様の第４の可能な実施方法において、前記新しいステーションスケジューリング指示情報は、
スケジュールされる前記新しいステーションの識別子、又は、
スケジュールできる新しいステーションのグループの識別子、又は、
指示識別サイトの指示状態情報、
を具備する。
【００１８】
前記第２の態様から前記第２の態様の前記第４の可能な実施方法までのいずれか１つの方法と組み合わせて、前記第２の態様の第５の可能な実施方法において、前記指示フレームに従って、前記レガシーＳＴＡにより占有されていない前記セカンダリチャネル上で、データを送信するステップの後に、前記方法は、
前記レガシーＳＴＡにより占有されていない前記セカンダリチャネル上で、前記アクセスポイントにより送信された第２アクノリッジフレームを受信するステップをさらに具備し、
前記指示フレーム及び／又は前記第２アクノリッジフレームは、ＯＦＤＭＡ方式で送信され、
前記指示フレームに従って、レガシーＳＴＡにより占有されていないセカンダリチャネル上でデータを送信する前記ステップは、
ＯＦＤＭＡ方式で、前記指示フレームに従って、前記レガシーＳＴＡにより占有されていない前記セカンダリチャネル上で、データを送信するステップを具備する。
【００１９】
前記第２の態様から前記第２の態様の前記第４の可能な実施方法までのいずれか１つの方法と組み合わせて、前記第２の態様の第６の可能な実施方法において、前記指示フレームは、前記レガシーＳＴＡにより占有されている帯域幅と予約持続時間、及び／又は新しいステーションにより使用されることが可能な帯域幅と送信持続時間をさらに具備し、
前記指示フレームに従って、レガシーＳＴＡにより占有されていないセカンダリチャネル上でデータを送信する前記ステップの前に、前記方法は、
前記レガシーＳＴＡにより占有されている帯域幅と前記予約持続時間、及び／又は、前記新しいステーションにより使用されることが可能な前記帯域幅と前記送信持続時間を取得するために前記指示フレームを分析するステップをさらに具備し、
前記指示フレームに従って、レガシーＳＴＡにより占有されていないセカンダリチャネル上でデータを送信する前記ステップは、
前記取得された前記レガシーＳＴＡにより占有されている帯域幅と前記予約持続時間、及び／又は、前記新しいステーションにより使用されることが可能な前記帯域幅と前記送信持続時間に従って、前記レガシーＳＴＡにより占有されていない前記セカンダリチャネル上で、データを送信するステップを具備する。
【００２０】
第３の態様において、本発明は、
レガシーＳＴＡにより送信されたデータフレームを監視するステップと、
前記レガシーＳＴＡの送信帯域幅と送信持続時間を取得するために、前記レガシーＳＴＡにより送信された前記データフレームのフレームヘッダを分析するステップと、
前記レガシーＳＴＡの前記取得された送信帯域幅と前記送信持続時間に従って、前記レガシーＳＴＡにより占有されていないセカンダリチャネル上で、データを送信するステップと、
を具備し、
データ送信の終了時間は、前記レガシーＳＴＡの送信終了時間を越えなくてよいことを特徴とするデータ送信方法を提供する。
【００２１】
第４の態様において、本発明は、プライマリチャネルを含んでいるチャネル上でレガシーＳＴＡにより送信されたＲＴＳフレームの送信要求を受信するように構成されている受信モジュールと、
前記レガシーＳＴＡが、指示フレームに従って、前記プライマリチャネルを含んでいる前記チャネル上で、データを送信することをイネーブルし、新しいステーションが、前記指示フレームに従って、前記レガシーＳＴＡにより占有されていないセカンダリチャネル上で、データを送信することをイネーブルするために、指示フレームを前記レガシーＳＴＡ及び新しいステーションに送信するように構成されている送信モジュールと、
を具備するデータ送信装置を提供する。
【００２２】
前記第４の態様の第１の可能な実施方法において、前記送信モジュールは、
前記レガシーＳＴＡが、前記ＣＴＳフレームに従って、前記プライマリチャネルを含んでいる前記チャネル上で、データを送信することをイネーブルするために、前記プライマリチャネルを含んでいる前記チャネル上で、送信可（ＣＴＳ）フレームを前記レガシーＳＴＡに送信するように構成されている第１送信ユニットと、
前記新しいステーションが、スケジューリングフレームに従って、前記レガシーＳＴＡにより占有されていない前記セカンダリチャネル上で、データを送信することをイネーブルするために、前記レガシーＳＴＡにより占有されていない前記セカンダリチャネル上で、スケジューリングフレームを前記新しいステーションに送信するように構成されている第２送信ユニットと、
を具備する。
【００２３】
前記第４の態様の前記第１の可能な実施方法と組み合わせて、前記第４の態様の第２の可能な実施方法において、前記第２送信ユニットは、
前記新しいステーションが識別子に従ってスケジュールされているかどうかを判別した後に、前記新しいステーションが、前記レガシーＳＴＡにより占有されていない前記セカンダリチャネル上で、データを送信することをイネーブルするために、前記レガシーＳＴＡにより占有されていない前記セカンダリチャネル上で、前記新しいステーションの識別子を含んでいる前記スケジューリングフレームを前記新しいステーションに送信するか、又は、
新しいステーションのグループが、データ送信要求に従って、前記レガシーＳＴＡにより占有されていない前記セカンダリチャネル上で、データを送信することをイネーブルするために、スケジュールできる新しいステーションのグループの識別子を含んでいる前記スケジューリングフレームを前記新しいステーションに送信する
ように特に構成されている。
【００２４】
前記第１の態様と組み合わせて、前記第４の態様の第３の可能な実施方法において、前記送信モジュールは、
前記レガシーＳＴＡが、ＣＴＳフレームに従って、前記プライマリチャネルを含んでいる前記チャネル上で、データを送信することをイネーブルし、前記新しいステーションが、前記ＣＴＳフレームに従って、前記レガシーＳＴＡにより占有されていない前記セカンダリチャネル上で、データを送信することをイネーブルするために、前記プライマリチャネルを含んでいる前記チャネル上で、前記レガシーＳＴＡと前記新しいステーションに、新しいステーションスケジューリング指示情報を含んでいるＣＴＳフレームを送信する
ように特に構成されている。
【００２５】
前記第４の態様の前記第４の可能な実施方法と組み合わせて、前記第４の態様の第４の可能な実施方法において、前記新しいステーションスケジューリング指示情報は、
スケジュールされる前記新しいステーションの識別子、又は、
スケジュールできる新しいステーションのグループの識別子、又は、
指示識別サイトの指示状態情報、
を具備する。
【００２６】
前記第４の態様から前記第４の態様の前記第４の可能な実施方法までのいずれか１つの装置と組み合わせて、前記第４の態様の第５の可能な実施方法において、前記送信モジュールは、
前記レガシーＳＴＡと前記新しいステーションが前記データを送信した後に、前記プライマリチャネルを含んでいる前記チャネル上で、前記レガシーＳＴＡに第１アクノリッジフレームを送信し、
前記レガシーＳＴＡにより占有されていない前記セカンダリチャネル上で、前記新しいステーションに、第２アクノリッジフレームを送信する
ようにさらに構成され、
前記第１アクノリッジフレームは、前記レガシーＳＴＡの前記データが正しく受信されたか否かを示すために使用される情報を含んでおり、
前記第２アクノリッジフレームは、前記新しいステーションの前記データが正しく受信されたか否かを示すために使用される情報を含んでいる。
【００２７】
第４の態様の第５の可能な実施方法と組み合わせて、前記第４の態様の第６の可能な実施方法において、前記指示フレーム及び／又はアクノリッジフレームは、ＯＦＤＭＡ方式で、送信される。
【００２８】
第４の態様から前記第４の態様の第４の可能な実施方法までのいずれか１つの装置と組み合わせて、前記第４の態様の第７の可能な実施方法において、前記指示フレームは、前記レガシーＳＴＡにより占有されている帯域幅と予約持続時間、及び／又は、前記新しいステーションにより使用されることが可能な帯域幅と送信持続時間をさらに具備する。
【００２９】
第５の態様において、本発明の前記実施形態は、アクセスポイントにより送信された指示フレームを受信するように構成されている受信モジュールと、
前記指示フレームに従って、レガシーＳＴＡにより占有されていないセカンダリチャネル上でデータを送信するように構成されている送信モジュールと、
を具備するデータ送信装置を提供する。
【００３０】
前記第５の態様の第１の可能な実施方法において、前記受信モジュールは、前記レガシーＳＴＡにより占有されていない前記セカンダリチャネル上で、前記アクセスポイントにより送信されたスケジューリングフレームを受信するように特に構成されており、
前記送信モジュールは、前記スケジューリングフレームに従って、前記レガシーＳＴＡにより占有されていない前記セカンダリチャネル上で、データを送信するように特に構成されている。
【００３１】
前記第５の態様の前記第１の可能な実施方法と組み合わせて、前記第５の態様の第２の可能な実施方法において、前記受信モジュールは、新しいステーションの識別子を具備し、前記レガシーＳＴＡにより占有されていない前記セカンダリチャネル上で、前記アクセスポイントにより送信された前記スケジューリングフレームを受信するように特に構成されており、
前記送信モジュールは、前記新しいステーションが前記識別子に従ってスケジュールされているかどうかを判別した後に、前記レガシーＳＴＡにより占有されていない前記セカンダリチャネル上でデータを送信するように特に構成されているか、又は、
前記受信モジュールは、スケジュールできる新しいステーションのグループの識別子を含んでいる前記アクセスポイントにより送信された前記スケジューリングフレームを受信するように特に構成されており、
前記送信モジュールは、データ送信要求に従って、前記レガシーＳＴＡにより占有されていない前記セカンダリチャネル上でデータを送信するように特に構成されている。
【００３２】
前記第５の態様と組み合わせて、前記第５の態様の第３の可能な実施方法において、前記受信モジュールは、プライマリチャネルを含んでいるチャネル上で、新しいステーションスケジューリング指示情報を具備する前記アクセスポイントにより送信されたＣＴＳフレームを受信するように特に構成され、
前記送信モジュールは、前記ＣＴＳフレームに従って、前記レガシーＳＴＡにより占有されていない前記セカンダリチャネル上でデータを送信するように特に構成されている。
【００３３】
前記第５の態様の前記第３の可能な実施方法と組み合わせて、前記第５の態様の第４の可能な実施方法において、前記新しいステーションスケジューリング指示情報は、
前記スケジュールされる前記新しいステーションの識別子、又は、
前記スケジュールできる新しいステーションのグループの識別子、又は、
前記指示識別サイトの指示状態情報、
を具備する。
【００３４】
前記第５の態様から前記第５の態様の前記第４の可能な実施方法までのいずれか１つの装置と組み合わせて、前記第５の態様の第５の可能な実施方法において、有されていない前記セカンダリチャネル上でデータが送信された後に、前記レガシーＳＴＡにより占有されていない前記セカンダリチャネル上で前記アクセスポイントにより送信された第２アクノリッジフレームを受信するようにさらに構成されており、前記指示フレーム及び／又は前記第２アクノリッジフレームは、ＯＦＤＭＡ方式で送信され、
前記送信モジュールは、ＯＦＤＭＡ方式で、前記指示フレームに従って、前記レガシーＳＴＡにより占有されていない前記セカンダリチャネル上で、データを送信するように特に構成されている。
【００３５】
前記第５の態様から前記第５の態様の前記第４の可能な実施方法までのいずれか１つの装置を組み合わせて、前記第５の態様の第６の可能な実施方法において、前記指示フレームは、前記レガシーＳＴＡにより占有されている帯域幅と予約持続時間、及び／又は、新しいステーションにより使用されることが可能な帯域幅と送信持続時間をさらに具備し、
前記装置は、
前記指示フレームに従って、前記レガシーＳＴＡにより占有されていない前記セカンダリチャネル上で、前記データを送信する前に、前記レガシーＳＴＡにより占有されている帯域幅と前記予約持続時間、及び／又は、前記新しいステーションにより使用されることが可能な前記帯域幅と前記送信持続時間を取得するために前記指示フレームを分析するように構成されている分析モジュールをさらに具備し、
前記送信モジュールは、前記取得された前記レガシーＳＴＡにより占有されている帯域幅と前記予約持続時間、及び／又は、前記新しいステーションにより使用されることが可能な前記帯域幅と前記送信持続時間に従って、前記レガシーＳＴＡにより占有されていない前記セカンダリチャネル上で、データを送信するように特に構成されている。
【００３６】
第６の態様において、本発明の実施形態は、
レガシーＳＴＡにより送信されたデータフレームを監視するように構成されている監視モジュールと、
送信帯域幅と前記レガシーＳＴＡの送信持続時間を取得するために前記レガシーＳＴＡにより送信された前記データフレームのフレームヘッダを分析するように構成されている分析モジュールと、
前記レガシーＳＴＡの前記取得された送信帯域幅と前記送信持続時間に従って、前記レガシーＳＴＡにより占有されていないセカンダリチャネル上でデータを送信するように構成されている送信モジュールと、
を具備し、
データ送信の終了時間は、前記レガシーＳＴＡの送信終了時間を越えなくてよいことを特徴とするデータ送信装置を提供する。
【００３７】
第７の態様において、本発明の前記実施形態は、第４の態様から前記第４の態様の第７の可能な実施方法のいずれかひとつのデータ送信装置と、第５の態様から第６の態様のいずれかひとつのデータ送信装置と、を具備するデータ送信システムを提供する。
【００３８】
本発明の実施形態により提供されるデータ送信方法、装置、及びシステムによれば、互換モード下でのアップリンクＯＦＤＭＡデータ送信が実施されるように、レガシーＳＴＡが、指示フレームに従って、プライマリチャネルを含んでいるチャネル上で、データを送信することをイネーブルし、新しいステーションが、前記指示フレームに従って、前記レガシーＳＴＡにより占有されていないセカンダリチャネル上で前記データを送信することをイネーブルするために、プライマリチャネルを含んでいるチャネル上でレガシーＳＴＡにより送信されたＲＴＳフレームが、ＡＰを通して受信され、前記指示フレームは、前記レガシーＳＴＡと新しいステーションとに送信され、前記レガシーＳＴＡのデータ送信に起因する帯域幅の浪費の問題が解消される。
【００３９】
本発明の実施形態、又は従来技術における技術的ソリューションをより明確に例証するために、実施形態又は従来技術の説明において必要とされる添付の図面の簡単な紹介が以下でなされる。以下の説明における添付の図面は、本発明の前記実施形態のいくつかに過ぎず、それらに基づいて当業者は創造的な取り組み無しに他の図面を得ることができることは明らかである。
【図面の簡単な説明】
【００４０】
【図１】図１は、本発明におけるデータ送信方法の実施形態１のフローチャートである。
【図２】図２は、本発明におけるデータ送信方法の実施形態１におけるＣＴＳフレームのＭＡＣ構造の概略図である。
【図３】図３は、本発明におけるデータ送信方法の実施形態１におけるＣＴＳフレームのＭＡＣ構造内のフレームコントロールフィールドの構造の概略図である。
【図４】図４は、本発明におけるデータ送信方法の実施形態１におけるＣＴＳフレームのＭＡＣ構造内のサービスフィールドの構造の概略図である。
【図５】図５は、本発明におけるデータ送信方法の実施形態２のフローチャートである。
【図６】図６は、本発明におけるデータ送信方法の実施形態３のフローチャートである。
【図７】図７は、本発明におけるデータ送信方法の実施形態４のフローチャートである。
【図８】図８は、本発明におけるデータ送信装置の実施形態１の構造の概略図である。
【図９】図９は、本発明におけるデータ送信装置の実施形態２の構造の概略図である。
【図１０】図１０は、本発明におけるデータ送信装置の実施形態３の構造の概略図である。
【図１１】図１１は、本発明におけるデータ送信装置の実施形態４の構造の概略図である。
【図１２】図１２は、本発明におけるデータ送信装置の実施形態５の構造の概略図である。
【図１３】図１３は、本発明におけるデータ送信装置の実施形態６の構造の概略図である。
【図１４】図１４は、本発明におけるデータ送信装置の実施形態７の構造の概略図である。
【図１５】図１５は、本発明におけるデータ送信装置の実施形態８の構造の概略図である。
【図１６】図１６は、本発明におけるデータ送信装置の実施形態９の構造の概略図である。
【発明を実施するための形態】
【００４１】
前記目的のために、本発明における技術的ソリューション及び実施形態の利点がより明確となるように、本発明の実施形態における技術的ソリューションの明確かつ完全な説明が、添付の図面と組み合わせて以下でなされる。以下で説明される実施形態は単なる一部であり、本発明の実施形態のすべてではないことは明らかである。創造的な取り組み無しに本発明の実施形態に基づいて当業者によって得られる他の全ての実施形態は、本発明の保護範囲に含まれるものとする。
【００４２】
図１は、本発明におけるデータ送信方法の実施形態１のフローチャートである。前記実施形態における前記方法は、互換モード下でのアップリンク・マルチステーションＯＦＤＭＡデータ送信に適用可能であり、前記実施形態は、アクセスポイントが執行機関（executive body）として使用されている例とすることにより例証されており、図１に示されているように、前記実施形態における方法は：
Ｓ１０１：プライマリチャネルを含んでいるチャネル上で、レガシーＳＴＡにより送信されたＲＴＳフレームが受信される。
ことを具備し得る。
【００４３】
前記アクセスポイントは、前記プライマリチャネルを含んでいる前記チャネル上で、前記レガシーＳＴＡにより送信された送信要求(Request To Send, 以降ＲＴＳと称する)フレームを受信し、前記レガシーＳＴＡは、競合方式（competition manner）で、前記プライマリチャネルを含んでいる前記チャネル上で、前記ＲＴＳフレームを送信し、ここで、以下で言及するＲＴＳフレームと送信可(Clear to send, 以降ＣＴＳと称する)フレームは、ワイヤレス・ローカル・エリア・ネットワーク(WLAN)におけるチャネル予約機構(channel reservation mechanism)に関連し、前記機構は、ＡＰ又はステーションにより開始されうることに留意すべきである。予約中は、ＲＴＳフレームがまず送信され、ネットワーク割り当てベクトル(Network allocation vector, 以降ＮＡＶと称する)が、チャネルを予約するために、前記ＲＴＳフレームの持続時間(Duration)フィールドにおいて設定され、前記ＲＴＳフレームが受信された後に、チャネルがアイドルであっても、非ターゲットユーザは前記ＮＡＶ時間内は何らのデータ送信が許容されない。前記ＲＴＳフレームの送信から前記ＮＡＶの設定終了までの時間間隔は、送信機会(Transmission opportunity, ＴＸＯＰと称する)と呼ばれ、前記ＲＴＳフレームを受信した後、アクセスターゲットユーザは、前記ＣＴＳフレームに応答し、前記ＣＴＳフレームの持続時間フィールドのＮＡＶは、前記ＲＴＳフレームのＮＡＶに従って設定され、前記ＣＴＳのＮＡＶは、ＴＸＯＰの終了時間に設定される。ＣＴＳを受信する前記非ターゲットユーザは、チャネルがアイドルであってもＴＸＯＰ時間内は何らのデータの送信も許容されない。
【００４４】
Ｓ１０２：レガシーＳＴＡが、指示フレームに従ってプライマリチャネルを含んでいるチャネル上でデータを送信することをイネーブルし、新しいステーションが、前記指示フレームに従って、前記レガシーＳＴＡにより占有されていないセカンダリチャネル上でデータを送信することをイネーブルするために、指示フレームが、レガシーＳＴＡと新しいステーションに送信される。
【００４５】
前記レガシーＳＴＡが、前記指示フレームに従って、前記プライマリチャネルを含んでいる前記チャネル上で前記データを送信することをイネーブルし、前記新しいステーションが、前記指示フレームに従って、前記レガシーＳＴＡにより占有されていないセカンダリチャネル上で、前記データを送信することをイネーブルするために、前記アクセスポイントは、前記レガシーＳＴＡと前記新しいステーションに前記指示フレームを送信し、２つの実施方法がある：
１つの実施方法として、前記レガシーＳＴＡが、前記ＣＴＳフレームに従って、前記プライマリチャネルを含んでいる前記チャネル上で、前記データを送信することをイネーブルするために、前記アクセスポイントは、前記プライマリチャネルを含んでいる前記チャネル上で、前記レガシーＳＴＡに、ＣＴＳフレームを送信し、
前記新しいステーションが、前記スケジューリングフレームに従って、前記レガシーＳＴＡにより占有されていないセカンダリチャネル上で、前記データを送信することをイネーブルするために、前記アクセスポイントは、前記レガシーＳＴＡにより占有されていないセカンダリチャネル上で、前記新しいステーションに、スケジューリングフレームを送信する。
【００４６】
前記アクセスポイントは、２つの可能な実施方法において、前記レガシーＳＴＡにより占有されていないセカンダリチャネル上で、前記新しいステーションに、前記スケジューリングフレームを送信しする。１つには、前記識別子に従って前記新しいステーションがスケジュールされているか否かを判別した後に、前記新しいステーションが、前記レガシーＳＴＡにより占有されていないセカンダリチャネル上で、前記データを送信することをイネーブルするために、前記アクセスポイントが、前記レガシーＳＴＡにより占有されていないセカンダリチャネル上で、前記新しいステーションに、前記新しいステーションの識別子を含んでいる前記スケジューリングフレームを送信し、この条件は、例えば、前記ＡＰが、いくつかのステーションが、フィードバック情報又は前記ステーションのサービスルールに従って送信されるデータを有していることを判別する場合に適用され得る。もう１つには、前記アクセスポイントは、新しいステーションの前記グループが、データ送信要求に従って、前記レガシーＳＴＡにより占有されていないセカンダリチャネル上で、前記データを送信することをイネーブルするために、前記新しいステーションに、スケジュールできる新しいステーションのグループの識別子を含んでいるスケジューリングフレームを送信し、この条件は、例えば、正確なステーションの送信情報を有しない場合において、ＡＰがすべてのステーションをグルーピングするかブロードキャストするような場合に適用され得る。
【００４７】
もう１つの実施方法として、前記アクセスポイントは、前記レガシーＳＴＡが、前記ＣＴＳフレームに従って、前記プライマリチャネルを含んでいる前記チャネル上で、前記データを送信することをイネーブルし、前記新しいステーションが、前記ＣＴＳフレームに従って、前記レガシーＳＴＡにより占有されていないセカンダリチャネル上で、前記データを送信することをイネーブルするために、前記プライマリチャネルを含んでいる前記チャネル上で、前記レガシーＳＴＡと前記新しいステーションに、新しいステーションスケジューリング指示情報を含んでいるＣＴＳフレームを送信する。この実施方法の下においては、先の実施方法と比べて、前記新しいステーションは、前記プライマリチャネルにより送信されたデータを監視する必要があるだけであり、これにより、省電力を更に助けるとともに達成することが非常に簡単となる。
【００４８】
この実施方法の下において、前記レガシーＳＴＡが、競合(competition)により、前記プライマリチャネルを含んでいる前記チャネル上で、前記ＲＴＳフレームを正常に送信した後に、前記ＣＴＳフレームを前記レガシーＳＴＡに返信する場合、前記ＡＰは、ＣＴＳフレームの予約ビットまたは再利用可能ビットを使用することにより、前記新しいステーションをスケジュールし、図２は、本発明におけるデータ送信方法の実施形態１におけるＣＴＳフレームのＭＡＣ構造の概略図であり、図２に示されているように、フレームコントロール(Frame Control)フィールド、持続時間(Duration)フィールド、受信器アドレス(Receiver Address, ＲＡと称する)フィールド、及びフレームチェックシーケンス(Frame Check Sequence, ＦＣＳと称する)フィールドである。図３は、本発明におけるデータ送信方法の実施形態１におけるＣＴＳフレームのＭＡＣ構造内のフレームコントロールフィールドの構造の概略図であり、図３に示されているように、プロトコルバージョン(Protocol Version)フィールド、タイプ(Type)フィールド、サブタイプ(Subtype)フィールド、宛先システム(To Distribution System, Ｔｏ ＤＳと称する)フィールド、送信元システム(From Distribution System, Ｆｒｏｍ ＤＳと称する)フィールド、さらなるフラグメント(More Fragments)フィールド、リトライ(Retry)フィールド、パワーマネジメント(Power Management)フィールド、さらなるデータ(More Data)フィールド、保護された−フレーム(Protected Frame)フィールド及び順序(Order)フィールドである。図２及び図３に示されているように、前記ＣＴＳフレームの前記フレームコントロールフィールドにおけるB8からB15のすべて又は一部のビットは、多重化されうるとともに、前記新しいステーションへスケジューリングを示すために使用され得る。
【００４９】
加えて、サービスフィールド(Service Field)は、全てのフレームのＭＡＣフレームの前に存在する。図４は、本発明におけるデータ送信方法の実施形態１におけるＣＴＳフレームのＭＡＣ構造内のサービスフィールドの構造の概略図であり、図４に示されているように、前記サービスフィールドは、全部で１６ビットを備えており、先の７ビットは、スクランブラ初期化(Scrambler Initialization)ビットであり、後の９ビットは、予約(Reserved)ビットである。前記サービスフィールドにおいて、Ｂ７からＢ１５は予約ビットに属し、予約ビットの全部又は一部は、前記新しいステーションにスケジューリングを示すために使用され得る。加えて、物理レイヤのプリアンブル(Preamble)における予約ビット又は再利用可能ビットも、前記新しいステーションのスケジューリングを示すために使用され得、スクランブリング等のような方法において、既存のＣＴＳフレームで搬送されている情報ビットも、前記新しいステーションにスケジューリングを示すために使用され得る。
【００５０】
前記新しいステーションスケジューリング指示情報は、前記スケジュールされる前記新しいステーションの識別子、又は、前記スケジュールできる新しいステーションのグループの識別子又は、前記指示識別サイト(indication identifying site)の指示状態情報を具備する。
【００５１】
予約ビットと再利用可能ビットの数が限定されているため、前記ステーションの前記識別子及びリソース情報は、十分に表現されない場合がある。共通のステーション識別方法は、ＭＡＣアドレス(48ビット)又はアソシエーション識別子(16ビット)を具備する。不十分な利用可能なビットの場合において、問題は、前記ステーションに関連するスケジューリング識別子又はグループを再定義することにより解消される。例えば、利用可能ビットが６ビットの場合において、最大で64ステーションをスケジューリング識別子とともに割り当てることができ、前記スケジューリング識別子が割り当てられた前記ステーションのみがＯＦＤＭＡスケジューリングにおいて参加することができる。ステーション識別子の一部もスケジューリングのために使用されることもでき、例えば、ＭＡＣアドレス又はアソシエーション識別子の後ろの６ビットがスケジューリングのために使用される。このように、複数ステーションのステーション識別子の末尾の数が同一であり、複数ステーションの全てが、送信するデータを有している場合、おそらくコリジョンが生じる。実施プロセスにおいて、回避機構（evasion mechanism）は、非常に高いコリジョン確率の場合においてコリジョン確率を減少させることをさらに導き得る。前記レガシーＳＴＡにより占有されていないセカンダリチャネル上で、回避機構を実施する場合、古いチャネル上の無線周波数フィルタが、隣接帯域の大きいエネルギー漏れを引き起こすほど急勾配でないならば、前記セカンダリチャネルがアイドルか否かを判別するために、前記セカンダリチャネル上で周波数ドメイン検出が実行される必要がある。すなわち、受信チャネルは、まず周波数ドメインに変換され、その後、前記セカンダリチャネル上のキャリアに対応する周波数ポイント上の信号強度が検出される。前記信号強度が一定のしきい値よりも大きい場合には、前記セカンダリチャネルがビジーであることを示しており、そうでなければ、前記セカンダリチャネルは、アイドルである。
【００５２】
新しいステーションスケジューリング指示情報が、指示識別サイトの指示状態情報を含んでいる場合、前記レガシーＳＴＡが、前記ＣＴＳフレームに従って、前記プライマリチャネルを含んでいる前記チャネル上で、前記データを送信する条件下で、前記指示状態情報は、前記新しいステーションが、ＣＴＳフレームに従って、レガシーＳＴＡにより占有されていないセカンダリチャネル上で、データを送信するかどうかを示すために使用される。例えば、指示識別サイトが０の場合、前記レガシーＳＴＡが、前記ＣＴＳフレームに従って、前記プライマリチャネルを含んでいる前記チャネル上で、前記データを送信する条件下において、前記新しいステーションは、前記ＣＴＳフレームに従って、前記レガシーＳＴＡにより占有されていないセカンダリチャネル上で、データを送信しない。指示識別サイトが１の場合、前記レガシーＳＴＡが、前記ＣＴＳフレームに従って、前記プライマリチャネルを含んでいる前記チャネル上で、前記データを送信する条件下において、前記新しいステーションが、前記ＣＴＳフレームに従って、前記レガシーＳＴＡにより占有されていないセカンダリチャネル上で、前記データを送信し、この時、前記新しいステーションは、同じチャネル上でデータを送信するために競合しうる。上述した条件下において、前記指示フレームは、前記レガシーＳＴＡにより占有されている帯域幅と予約持続時間、及び／又は、前記新しいステーションにより使用されることが可能な帯域幅と送信持続時間をさらに含む。
【００５３】
上述の実施形態において、オプションとして、前記レガシーＳＴＡと前記新しいステーションがデータを送信した後に、前記新しいステーションと前記レガシーＳＴＡの前記データを受信した後、前記ＡＰは、前記レガシーＳＴＡと前記新しいステーションにアクノリッジして、返信する必要があり、前記方法は、前記プライマリチャネルを含んでいる前記チャネル上で、前記レガシーＳＴＡに、第１アクノリッジフレームを送信するステップであって、前記第１アクノリッジフレームは、前記レガシーＳＴＡのデータが正しく受信されたか否かを示すために使用される情報を含むステップと、前記レガシーＳＴＡにより占有されていないセカンダリチャネル上で、前記新しいステーションに、第２アクノリッジフレームを送信するステップであって、前記第２アクノリッジフレームは、前記新しいステーションの前記データが正しく受信されたか否かを示すために使用される情報を含むステップと、をさらに具備する。ここで、前記指示フレーム及び／又は前記アクノリッジフレームは、ＯＦＤＭＡ方式で送信される。前記アクノリッジフレームの形式は、前記データ送信方法により決定され、アクノリッジ(Acknowledgement, ＡＣＫと称する)、ブロック・アクノリッジ(Block Acknowledgement, ＢＡと称する)、などのような異なるアクノリッジフレームフォーマットを含み得る。前記アクノリッジフレームは、ダウンリンクＯＦＤＭＡ方式において送信され得、すなわち、前記アクノリッジフレームは、前記プライマリチャネルを含んでいる前記チャネル上で、前記レガシーＳＴＡに送信され、前記アクノリッジフレームは、前記レガシーＳＴＡにより占有されていないセカンダリチャネル上で、前記新しいステーションに送信される。他の複数ステーションアクノリッジ方法は、本発明の実施形態にも適用できる。例えば、前記アクノリッジフレームは、時分割方式において前記レガシーＳＴＡと前記新しいステーションにそれぞれ送信される。前記レガシーＳＴＡの前記アクノリッジフレームに応答する場合には、前記新しいステーションのデータが、正しく送信されたかどうかは、前記レガシーＳＴＡのアクノリッジフレームの予約ビットを介して示される。
【００５４】
前記実施形態により提供される前記データ送信方法によると、互換モード下のアップリンク・ＯＦＤＭＡデータ送信が達成され、前記レガシーＳＴＡのデータ送信に起因する帯域幅の浪費の問題を解消するように、ＡＰは、前記レガシーＳＴＡが、前記指示フレームに従って、前記プライマリチャネルを含んでいる前記チャネル上で前記データを送信することをイネーブルし、前記新しいステーションが、前記指示フレームに従って、前記レガシーＳＴＡにより占有されていないセカンダリチャネル上で、前記データを送信することをイネーブルするために、前記プライマリチャネルを含んでいる前記チャネル上で、前記レガシーＳＴＡにより送信されたＲＴＳフレームを受信し、前記レガシーＳＴＡと前記新しいステーションに、前記指示フレームを送信する。
【００５５】
図５は、本発明におけるデータ送信方法の実施形態２のフローチャートである。前記実施形態における前記方法は、互換モード下でのアップリンク・マルチステーションＯＦＤＭＡデータ送信に適用可能であり、前記実施形態は、新しいステーションが執行機関（executive body）として使用されている例とすることにより例証されており、図５に示されているように、前記実施形態における方法は：
Ｓ２０１：アクセスポイントにより送信された指示フレームが受信される。
Ｓ２０２：データは、前記指示フレームに従って、レガシーＳＴＡにより占有されていないセカンダリチャネル上で送信される。
ことを具備し得る。
【００５６】
前記アクセスポイントにより送信された前記指示フレームが受信された後、前記新しいステーションが、２つの実施方法において、前記指示フレームに従って、前記レガシーＳＴＡにより占有されていないセカンダリチャネル上で、データを送信する：
１つの実施方法として、前記新しいステーションは、前記レガシーＳＴＡにより占有されていないセカンダリチャネル上で、前記アクセスポイントにより送信されたスケジューリングフレームを受信し、前記スケジューリングフレームに従って、前記レガシーＳＴＡにより占有されていないセカンダリチャネル上で、前記データを送信する。
【００５７】
前記新しいステーションは、前記レガシーＳＴＡにより占有されていないセカンダリチャネル上で、前記アクセスポイントにより送信されたスケジューリングフレームを受信し、２つの可能な実施方法において、前記スケジューリングフレームに従って、前記レガシーＳＴＡにより占有されていないセカンダリチャネル上で、前記データを送信する。１つには、前記新しいステーションは、前記レガシーＳＴＡにより占有されていないセカンダリチャネル上で、前記新しいステーションの識別子を含み、前記アクセスポイントにより送信されたスケジューリングフレームを受信し、前記識別子に従って前記新しいステーションがスケジュールされているか否かを判別した後に、前記レガシーＳＴＡにより占有されていないセカンダリチャネル上で、データを送信することを決定し、この条件は、例えば、前記ＡＰが、いくつかのステーションが、前記ステーションのフィードバック情報又はサービスルールに従って送信されるデータを有していることを判別する場合に適用され得る。もう１つには、前記新しいステーションが、前記スケジュールできる新しいステーションのグループの識別子を含み、前記アクセスポイントにより送信されたスケジューリングフレームを受信し、データ送信要求に従って、前記レガシーＳＴＡにより占有されていないセカンダリチャネル上で、データを送信し、この条件は、例えば、正確なステーションの送信情報を有しない場合において、ＡＰがすべてのステーションをグルーピングするかブロードキャストするような場合に適用され得る。
【００５８】
もう１つの実施方法として、前記新しいステーションが、前記プライマリチャネルを含んでいるチャネル上で、前記アクセスポイントにより送信された新しいステーションスケジューリング指示情報を含んでいるＣＴＳフレームを受信する。この実施方法の下において、先の実施方法と比べて、前記新しいステーションは、前記プライマリチャネルにより送信されたデータを監視する必要があるだけであり、これにより、省電力を更に助けるとともに達成することが非常に簡単となる。
【００５９】
この実施方法の下において、前記新しいステーションスケジューリング指示情報は、前記スケジュールされる前記新しいステーションの識別子、又は、前記スケジュールできる新しいステーションのグループの識別子、又は、前記指示識別サイトの指示状態情報を含む。前記レガシーＳＴＡが、前記ＣＴＳフレームに従って、前記プライマリチャネルを含んでいる前記チャネル上で、前記データを送信する条件下において、前記新しいステーションスケジューリング指示情報が指示識別サイトの前記指示状態情報を含む場合、前記指示状態情報は、前記新しいステーションが、前記ＣＴＳフレームに従って、前記レガシーＳＴＡにより占有されていないセカンダリチャネル上でデータを送信するか否か、を示すために使用される。例えば、指示識別サイトが０の場合、前記レガシーＳＴＡが、前記ＣＴＳフレームに従って、前記プライマリチャネルを含んでいる前記チャネル上で、前記データを送信する条件下において、前記新しいステーションは、前記ＣＴＳフレームに従って、前記レガシーＳＴＡにより占有されていないセカンダリチャネル上で、データを送信しない。指示識別サイトが１の場合、前記レガシーＳＴＡが、前記ＣＴＳフレームに従って、前記プライマリチャネルを含んでいる前記チャネル上で、前記データを送信する条件下において、前記新しいステーションが、前記ＣＴＳフレームに従って、前記レガシーＳＴＡにより占有されていないセカンダリチャネル上で、前記データを送信し、この時、前記新しいステーションは、同じチャネル上でデータを送信するために競合しうる。
【００６０】
上述の実施形態において、指示識別サイトが１の場合、オプションとして、前記指示フレームは、前記レガシーＳＴＡにより占有されている帯域幅と予約持続時間、及び／又は、前記新しいステーションにより使用されることが可能な帯域幅と送信持続時間をさらに含む。この時、前記指示フレームに従って、前記レガシーＳＴＡにより占有されていないセカンダリチャネル上で、データを送信する前に、前記新しいステーションは、前記レガシーＳＴＡにより占有されている帯域幅と前記予約持続時間、及び／又は、前記新しいステーションにより使用されることが可能な前記帯域幅と前記送信持続時間を取得するために、前記指示フレームを分析し、その後、前記レガシーＳＴＡにより占有されている前記取得された帯域幅と前記予約持続時間、及び／又は、前記新しいステーションにより使用されることが可能な前記帯域幅と前記送信持続時間に従って、前記レガシーＳＴＡにより占有されていないセカンダリチャネル上で、データを送信する。具体的には、前記アクセスポイントにより返信された前記ＣＴＳフレームを受信した後に、前記新しいステーションは、前記レガシーＳＴＡにより占有されている帯域幅と前記予約持続時間、及び／又は、前記新しいステーションにより使用されることが可能な前記帯域幅と前記送信持続時間を取得するために、前記ＣＴＳフレームを分析する。この時、前記新しいステーションは、前記レガシーＳＴＡにより占有されていない第２チャネル上でデータを送信してもよい。
【００６１】
上記の実施形態において、前記新しいステーションが、前記指示フレームに従って、前記レガシーＳＴＡにより占有されていないセカンダリチャネル上で、データを送信した後に、前記方法は、
前記レガシーＳＴＡにより占有されていないセカンダリチャネル上で、前記アクセスポイントにより送信された第２アクノリッジフレームを受信するステップをさらに含み、
前記指示フレーム及び／又は前記第２アクノリッジフレームは、ＯＦＤＭＡ方式で送信される。
【００６２】
上記の実施形態において、前記新しいステーションが、ＯＦＤＭＡ方式により、前記指示フレームに従って、前記レガシーＳＴＡにより占有されていないセカンダリチャネル上で、データを送信され、ＯＦＤＭＡ方式によりデータを送信することにより、前記レガシーＳＴＡへのデータ送信の干渉が減少され得る。
【００６３】
上記の実施形態において、複数の新しいステーションが同じチャネル上で競合し得るため、コリジョンが生じ得、コリジョン確率を検証させるためにいくつかの機構が適用され得る。例えば、前記セカンダリチャネル上でデータを送信する前に、前記新しいステーションは、後退(backspace)する必要があり、前記ステーションが０に後退する前に他のステーションが前記セカンダリチャネル上でデータを送信したならば、前記ステーションは、前記セカンダリチャネル上でデータを送信できず、前記新しいステーションが、前記データを送信する前に避ける(evade)必要がある場合、ＯＦＤＭシンボルアライメントは、データフレームが送信される場合に、前記レガシーＳＴＡのデータとともに保つ必要があり、エラーは、循環プリフィックス(cyclic prefix)の長さを超過しない。別の例として、前記セカンダリチャネルは複数のサブチャネルに分割されており、各新しいステーションは、ランダムに１つ又は複数のサブチャネルを選択してデータを送信する。別の例として、前記ステーションがグルーピングされ、前記レガシーＳＴＡとして同じグループ内でない前記新しいステーションのみがデータを送信しうる。コリジョンを減少させる上記の機構は、使用するために組み合わせられてもよくが、本発明の実施形態は、それに限定されない。
【００６４】
上記の実施形態において、前記新しいステーションは、前記レガシーＳＴＡのデータに、前記新しいステーションのデータ送信の干渉を回避するために、ＯＦＤＭＡ方式によりデータを送信する必要がある。前記レガシーＳＴＡがＯＦＤＭＡ送信方式をサポートしないため、前記新しいステーションへの干渉は非常に大きく、この時、前記新しいステーションのデータ送信は、ロバスト送信方法を採用でき、例えば、低次変調及びコーディングスキーム(Modulation and coding scheme, MCS)がパケットエラーレートを減少させるために採用され得る。
【００６５】
実施形態により提供されるデータ送信方法によると、前記新しいステーションは、互換モード下のアップリンク・ＯＦＤＭＡデータ送信が達成され、前記レガシーＳＴＡのデータ送信に起因する帯域幅の浪費の問題を解消するように、前記アクセスポイントにより送信された指示フレームを受信し、前記指示フレームに従って、前記レガシーＳＴＡにより占有されていないセカンダリチャネル上で、データを送信し得る。
【００６６】
図６は、本発明におけるデータ送信方法の実施形態３のフローチャートである。前記実施形態は、新しいステーションが、レガシーＳＴＡにより送信されたデータを監視し、前記レガシーＳＴＡの前記取得された送信帯域幅と送信持続時間に従って、データを送信する例とすることにより例証されており、図６に示されているように、前記実施形態における方法は：
Ｓ３０１：前記レガシーＳＴＡにより送信されたデータフレームが監視される。
Ｓ３０２：前記レガシーＳＴＡにより送信された前記データフレームのフレームヘッダが、前記レガシーＳＴＡの前記送信帯域幅と前記送信持続時間を取得するために、解析される。
ことを具備し得る。
【００６７】
具体的な送信帯域幅と前記送信持続時間は、通常、物理レイヤのフレームヘッダの帯域幅(Bandwidth, ＢＷと称する)フィールド及び長さ(Length)フィールドにそれぞれ示されている。
【００６８】
Ｓ３０３：データが、前記取得された送信帯域幅と前記レガシーＳＴＡの前記送信持続時間に従って、前記レガシーＳＴＡにより占有されていないセカンダリチャネル上で送信され、データ送信の終了時間は、前記レガシーＳＴＡの送信終了時間を越えなくてよい。
【００６９】
前記実施形態により提供されるデータ送信方法によると、前記新しいステーションは、互換モード下のアップリンク・ＯＦＤＭＡデータ送信が達成され、前記レガシーＳＴＡのデータ送信に起因する帯域幅の浪費の問題を解消するように、前記レガシーＳＴＡにより送信されたデータフレームを監視し、前記レガシーＳＴＡの前記送信帯域幅と前記送信持続時間を取得するために、前記レガシーＳＴＡにより送信された前記データフレームのフレームヘッダを分析し、前記取得された送信帯域幅と前記送信持続時間に従って、前記レガシーＳＴＡにより占有されていないセカンダリチャネル上で、データを送信する。
【００７０】
前述の方法の実施形態における技術的ソリューションが以下に具体的な実施形態において例証される。
【００７１】
図７は、本発明におけるデータ送信方法の実施形態４のフローチャートである。ＲＴＳフレームを受信後、アクセスポイントが、レガシーＳＴＡと新しいステーションに、指示フレームを送信し、前記レガシーＳＴＡと前記新しいステーションが、前記指示フレームに従って、データを送信する例とすることにより例証されており、図７に示されているように、実施形態における方法は：
Ｓ６０１：前記アクセスポイントは、プライマリチャネルを含んでいるチャネル上で、前記レガシーＳＴＡにより送信された送信要求(RTS)フレームを受信する。
ことを具備し得る。
【００７２】
前記アクセスポイントは、競合方式により、前記プライマリチャネルを含んでいる前記チャネル上で、前記レガシーＳＴＡにより送信された前記ＲＴＳフレームを受信する。
【００７３】
Ｓ６０２：前記アクセスポイントは、前記レガシーＳＴＡと前記新しいステーションに指示フレームを送信する。
【００７４】
前記ＲＴＳフレームを受信後、前記アクセスポイントは、２つの実施方法において、前記レガシーＳＴＡと前記新しいステーションに前記指示フレームを送信する：
１つには、前記アクセスポイントは、前記レガシーＳＴＡにより占有されていないセカンダリチャネル上で、前記新しいステーションに、スケジューリングフレームを送信する。前記アクセスポイントは、２つの可能な実施方法において、前記レガシーＳＴＡにより占有されていないセカンダリチャネル上で、前記新しいステーションに、前記スケジューリングフレームを送信し、１つには、前記アクセスポイントは、前記レガシーＳＴＡにより占有されていないセカンダリチャネル上で、前記新しいステーションに、前記新しいステーションの識別子を含んでいる前記スケジューリングフレームを送信し、この条件は、例えば、前記ＡＰが、いくつかのステーションが、ステーションのフィードバック情報又はサービスルールに従って送信するデータを有することを判別する場合に適用され得る。もう１つには、前記アクセスポイントは、前記新しいステーションに、前記スケジュールできる新しいステーションのグループの識別子を含んでいる前記スケジューリングフレームを送信し、この条件は、例えば、正確なステーションの送信情報を有しない場合において、ＡＰがすべてのステーションをグルーピングするかブロードキャストするような場合に適用され得る。
【００７５】
もう１つの実施方法として、前記アクセスポイントは、前記プライマリチャネルを含んでいる前記チャネル上で、前記レガシーＳＴＡと前記新しいステーションに、新しいステーションスケジューリング指示情報を含んでいるＣＴＳフレームを送信する。前記新しいステーションスケジューリング指示情報は、前記スケジュールされる前記新しいステーションの識別子、又は、前記スケジュールできる新しいステーションのグループの識別子、又は、前記指示識別サイトの指示状態情報を含む。
【００７６】
前記新しいステーションスケジューリング指示情報が、前記指示識別サイトの指示状態情報を含む場合、前記指示状態情報は、前記レガシーＳＴＡが、前記ＣＴＳフレームに従って、前記プライマリチャネルを含んでいる前記チャネル上で、前記データを送信する条件下において、前記新しいステーションが前記ＣＴＳフレームに従って、前記レガシーＳＴＡにより占有されていないセカンダリチャネル上で、データを送信するか否かを示すために使用される。例えば、指示識別サイトが０の場合、前記レガシーＳＴＡが、前記ＣＴＳフレームに従って、前記プライマリチャネルを含んでいる前記チャネル上でデータを送信する条件下において、前記新しいステーションは、前記ＣＴＳフレームに従って、前記レガシーＳＴＡにより占有されていないセカンダリチャネル上でデータを送信しない。指示識別サイトが１の場合、前記レガシーＳＴＡが、前記ＣＴＳフレームに従って、前記プライマリチャネルを含んでいる前記チャネル上でデータを送信する条件下において、前記新しいステーションが、前記ＣＴＳフレームに従って、前記レガシーＳＴＡにより占有されていないセカンダリチャネル上で、前記データを送信し、この時、前記新しいステーションは、同じチャネル上でデータを送信するために競合しうる。上述した条件下において、前記指示フレームは、前記レガシーＳＴＡにより占有されている帯域幅と予約持続時間、及び／又は、前記新しいステーションにより使用されることが可能な帯域幅と送信持続時間をさらに含む。
【００７７】
Ｓ６０３：前記レガシーＳＴＡが、前記指示フレームに従って、前記プライマリチャネルを含んでいる前記チャネル上で、データを送信する。
【００７８】
Ｓ６０４：前記新しいステーションが、前記指示フレームに従って、前記レガシーＳＴＡにより占有されていないセカンダリチャネル上で、データを送信する。
【００７９】
Ｓ６０２に対応し、前記新しいステーションが、２つの実施方法において、前記指示フレームに従って、前記レガシーＳＴＡにより占有されていないセカンダリチャネル上でデータを送信する：
１つの方法は、前記新しいステーションが、前記レガシーＳＴＡにより占有されていないセカンダリチャネル上で、前記アクセスポイントにより送信されたスケジューリングフレームを受信し、前記スケジューリングフレームに従って、前記レガシーＳＴＡにより占有されていないセカンダリチャネル上で、前記データを送信する。この条件下において２つの可能な実施方法があり、１つには、前記新しいステーションは、前記レガシーＳＴＡにより占有されていないセカンダリチャネル上で、前記新しいステーションの識別子を含み、前記アクセスポイントにより送信されたスケジューリングフレームを受信し、前記識別子に従って前記新しいステーションがスケジュールされているか否かを判別した後に、前記レガシーＳＴＡにより占有されていないセカンダリチャネル上でデータを送信することを決定し、この条件は、例えば、ＡＰが、いくつかのステーションが、前記ステーションのフィードバック情報又はサービスルールに従って送信されるデータを有しているかどうかを判別する場合に適用され得る。もう１つには、前記新しいステーションが、前記スケジュールできる新しいステーションのグループの識別子を含み、前記アクセスポイントにより送信されたスケジューリングフレームを受信し、データ送信要求に従って、前記レガシーＳＴＡにより占有されていないセカンダリチャネル上でデータを送信し、この条件は、例えば、正確なステーションの送信情報を有しない場合において、ＡＰがすべてのステーションをグルーピングするかブロードキャストするような場合に適用され得る。
【００８０】
もう１つの実施方法として、前記新しいステーションが、前記プライマリチャネルを含んでいる前記チャネル上で前記アクセスポイントにより送信された新しいステーションスケジューリング指示情報を含んでいるＣＴＳフレームを受信し、前記ＣＴＳフレームに従って、前記レガシーＳＴＡにより占有されていないセカンダリチャネル上で、データを送信する。この実施方法の下においては、先の実施方法と比べて、前記新しいステーションは、前記プライマリチャネルにより送信されたデータを監視する必要があるだけであり、これにより、省電力を更に助けるとともに達成することが非常に簡単となる。
【００８１】
この実施方法の下において、前記新しいステーションスケジューリング指示情報は：前記スケジュールされる前記新しいステーションの識別子、又は、前記スケジュールできる新しいステーションのグループの識別子、又は、前記指示識別サイトの指示状態情報を含む。前記新しいステーションスケジューリング指示情報が、指示識別サイトの前記指示状態情報を含む場合、前記レガシーＳＴＡが、前記ＣＴＳフレームに従って、前記プライマリチャネルを含んでいる前記チャネル上で、前記データを送信する条件下において、前記指示状態情報は、前記新しいステーションが、前記ＣＴＳフレームに従って、前記レガシーＳＴＡにより占有されていないセカンダリチャネル上でデータを送信するか否かを示すために使用される。例えば、指示識別サイトが０の場合、前記レガシーＳＴＡが、前記ＣＴＳフレームに従って、前記プライマリチャネルを含んでいるチャネル上でデータを送信する条件下において、前記新しいステーションは、前記ＣＴＳフレームに従って、前記レガシーＳＴＡにより占有されていないセカンダリチャネル上でデータを送信しない。指示識別サイトが１の場合、前記レガシーＳＴＡが、前記ＣＴＳフレームに従って、前記プライマリチャネルを含んでいる前記チャネル上で、前記データを送信する条件下において、前記新しいステーションが、前記ＣＴＳフレームに従って、前記レガシーＳＴＡにより占有されていないセカンダリチャネル上で、前記データを送信し、この時、前記新しいステーションは、同じチャネル上でデータを送信するために競合しうる。
【００８２】
指示識別サイトが１の場合、オプションとして、前記指示フレームは、前記レガシーＳＴＡにより占有されている帯域幅と予約持続時間、及び／又は、前記新しいステーションにより使用されることが可能な帯域幅と送信持続時間をさらに含む。この時、前記指示フレームに従って、前記レガシーＳＴＡにより占有されていないセカンダリチャネル上でデータが送信される前に、前記新しいステーションは、前記レガシーＳＴＡにより占有されている帯域幅と前記予約持続時間、及び／又は、前記新しいステーションにより使用されることが可能な前記帯域幅と前記送信持続時間を取得するために、前記指示フレームを分析し、その後、前記レガシーＳＴＡにより占有されている前記取得された帯域幅と前記予約持続時間、及び／又は、前記新しいステーションにより使用されることが可能な前記帯域幅と前記送信持続時間に従って、前記レガシーＳＴＡにより占有されていないセカンダリチャネル上でデータを送信する。具体的には、前記アクセスポイントにより返信された前記ＣＴＳフレームを受信した後、前記レガシーＳＴＡにより占有されている帯域幅と前記予約持続時間、及び／又は、前記新しいステーションにより使用されることが可能な前記帯域幅と前記送信持続時間を取得するために、前記新しいステーションは、前記ＣＴＳフレームを分析する。この時、前記新しいステーションは、前記レガシーＳＴＡにより占有されていない第２チャネル上でデータを送信し得る。
【００８３】
Ｓ６０５：前記アクセスポイントは、前記プライマリチャネルを含んでいる前記チャネル上で、前記レガシーＳＴＡに、第１アクノリッジフレームを送信し、前記レガシーＳＴＡにより占有されていないセカンダリチャネル上で、前記新しいステーションに、第２アクノリッジフレームを送信する。
【００８４】
前記第１アクノリッジフレームは、前記レガシーＳＴＡのデータが正常に受信されたか否かを示すために使用される情報を含み、前記第２アクノリッジフレームは、前記新しいステーションの前記データが正しく受信されたか否かを示すために使用される情報を含み、前記指示フレーム及び／又は前記アクノリッジフレームは、ＯＦＤＭＡ方式で送信され、前記アクノリッジフレームは、前記新しいステーションの前記データが正しく受信されたか否かを示すために使用される情報を含み、前記アクノリッジフレームの形式は、データ送信方法により決定され、アクノリッジ(Acknowledgement, ＡＣＫと称する)、ブロック・アクノリッジ(Block Acknowledgement, ＢＡと称する)などを含んでいる。前記アクノリッジフレームは、ダウンリンクＯＦＤＭＡ方式において送信され得、即ち、前記アクノリッジフレームは、前記プライマリチャネルを含んでいる前記チャネル上で、前記レガシーＳＴＡに送信され、前記アクノリッジフレームは、前記レガシーＳＴＡにより占有されていないセカンダリチャネル上で、前記新しいステーションに送信される。他のマルチステーションアクノリッジ方式も、この実施形態に適用可能であり得る。例えば、前記アクノリッジフレームは、時分割方式において、前記レガシーＳＴＡと前記新しいステーションにそれぞれ送信され、前記レガシーＳＴＡの前記アクノリッジフレームに返信する場合、前記新しいステーションのデータが正しく送信されたかどうかが、前記レガシーＳＴＡの前記アクノリッジフレーム内の予約ビットを介して示される。
【００８５】
前記実施形態により提供されるデータ送信方法によると、互換モード下のアップリンク・ＯＦＤＭＡデータ送信が達成され、前記レガシーＳＴＡのデータ送信に起因する帯域幅の浪費の問題を解消するように、前記レガシーＳＴＡが、前記指示フレームに従って、前記プライマリチャネルを含んでいる前記チャネル上で前記データを送信することをイネーブルし、前記新しいステーションが、前記指示フレームに従って、前記レガシーＳＴＡにより占有されていないセカンダリチャネル上で、前記データを送信することをイネーブルするために、ＡＰは、前記プライマリチャネルを含んでいる前記チャネル上で、前記レガシーＳＴＡにより送信された前記送信要求(RTS)フレームを受信し、前記レガシーＳＴＡと前記新しいステーションに前記指示フレームを送信する。
【００８６】
当業者であれば、前述の方法の実施形態を達成するためにステップの全て又は一部は、対応するハードウェアに指示するプログラムにより実施されうることは理解し得る。先のプログラムは、コンピュータ可読記録媒体に格納され得る。実行されると、プログラムは、前述の方法の実施形態のステップを実行し、先の格納媒体は、ＲＯＭ，ＲＡＭ，磁気ディスク、光ディスクなどといったプログラムコードを格納可能な種々の媒体を含む。
【００８７】
図８は、本発明におけるデータ送信装置の実施形態１の構造の概略図である。図８に示されているように、前記実施形態における装置は、受信モジュール１１と、送信モジュール１２と、を含み、
前記受信モジュール１１は、プライマリチャネルを含んでいるチャネル上で、レガシーＳＴＡにより送信された送信要求(RTS)フレームを受信するように構成されている。
【００８８】
前記レガシーＳＴＡが、前記指示フレームに従って、前記プライマリチャネルを含んでいる前記チャネル上で、データを送信することをイネーブルし、前記新しいステーションが、前記指示フレームに従って、前記レガシーＳＴＡにより占有されていないセカンダリチャネル上で、データを送信することをイネーブルするために、前記送信モジュール１２は、前記レガシーＳＴＡと新しいステーションに指示フレームを送信するように構成されている。
【００８９】
前記実施形態により提供されるデータ送信装置によると、互換モード下のアップリンク・ＯＦＤＭＡデータ送信を達成し、レガシーＳＴＡのデータ送信に起因する帯域幅の浪費の問題を解消するように、前記レガシーＳＴＡが、指示フレームに従って、プライマリチャネルを含んでいるチャネル上でデータを送信することをイネーブルし、新しいステーションが、前記指示フレームに従って、前記レガシーＳＴＡにより占有されていないセカンダリチャネル上で、データを送信することをイネーブルするために、受信モジュールは、前記プライマリチャネルを含んでいるチャネル上で、前記レガシーＳＴＡにより送信されたＲＴＳフレームを受信し、前記送信モジュールは、レガシーＳＴＡと新しいステーションに前記指示フレームを送信する。
【００９０】
前記実施形態における装置は、図１に示されている方法の実施形態における技術的ソリューションを実行するために使用されうるが、達成原理は類似しているため、ここでは重複して繰り返すことはしない。
【００９１】
図９は、本発明におけるデータ送信装置の実施形態２の構造の概略図であり、図８に示されている装置の構造に基づいて、図９に示されているように、前記実施形態における装置の送信モジュール１２は、第１送信ユニット１２１と、第２送信ユニット１２２とをさらに含み、
前記第１送信ユニット１２１は、前記レガシーＳＴＡが、前記ＣＴＳフレームに従って、前記プライマリチャネルを含んでいる前記チャネル上で、前記データを送信することをイネーブルするために、前記プライマリチャネルを含んでいる前記チャネル上で、前記レガシーＳＴＡに、送信可（ＣＴＳ）フレームを送信するように構成されている。
【００９２】
前記第２送信ユニット１２２は、前記新しいステーションが、前記スケジューリングフレームに従って、前記レガシーＳＴＡにより占有されていないセカンダリチャネル上で、前記データを送信することをイネーブルするために、前記レガシーＳＴＡにより占有されていないセカンダリチャネル上で、前記新しいステーションに、スケジューリングフレームを送信するように構成されている。
【００９３】
前記第２送信ユニット１２２は、前記識別子に従って前記新しいステーションがスケジュールされているか否かを判別した後に、前記新しいステーションが、前記レガシーＳＴＡにより占有されていないセカンダリチャネル上で、前記データを送信することをイネーブルするために、前記レガシーＳＴＡにより占有されていないセカンダリチャネル上で、前記新しいステーションに、前記新しいステーションの識別子を含んでいる前記スケジューリングフレームを送信するか、又は、新しいステーションの前記グループが、データ送信要求に従って、前記レガシーＳＴＡにより占有されていないセカンダリチャネル上で、前記データを送信することをイネーブルするために、前記新しいステーションに、前記スケジュールできる新しいステーションのグループの識別子を含んでいる前記スケジューリングフレームを送信するように特に構成されている。
【００９４】
前述の実施形態において、前記レガシーＳＴＡが、前記ＣＴＳフレームに従って、前記プライマリチャネルを含んでいる前記チャネル上で、前記データを送信することをイネーブルし、前記新しいステーションが、前記ＣＴＳフレームに従って、前記レガシーＳＴＡにより占有されていないセカンダリチャネル上で、前記データを送信することをイネーブルするために、前記送信モジュール１２は、前記プライマリチャネルを含んでいる前記チャネル上で、前記レガシーＳＴＡと前記新しいステーションに、新しいステーションスケジューリング指示情報を含んでいるＣＴＳフレームを送信するように特に構成されている。前記新しいステーションスケジューリング指示情報は、前記スケジュールされる前記新しいステーションの識別子、又は、前記スケジュールできる新しいステーションのグループの識別子、又は、前記指示識別サイトの指示状態情報を含む。
【００９５】
オプションとして、前記レガシーＳＴＡと前記新しいステーションにデータを送信した後に、前記送信モジュール１２は、前記プライマリチャネルを含んでいる前記チャネル上で、前記レガシーＳＴＡに、第１アクノリッジフレームを送信し、ここで、前記第１アクノリッジフレームは、前記レガシーＳＴＡのデータが正しく受信されたか否かを示すために使用される情報を含み、前記レガシーＳＴＡにより占有されていないセカンダリチャネル上で、第２アクノリッジフレームを前記新しいステーションに送信し、ここで、前記第２アクノリッジフレームは、前記新しいステーションの前記データが正しく受信されたか否かを示すために使用される情報を含むようにさらに構成されている。前記指示フレーム及び／又は前記アクノリッジフレームは、ＯＦＤＭＡ方式で送信される。
【００９６】
前述の実施形態において、前記指示フレームは、前記レガシーＳＴＡにより占有されている帯域幅と予約持続時間、及び／又は、前記新しいステーションにより使用されることが可能な帯域幅と送信持続時間をさらに含む。
【００９７】
前記実施形態における装置は、図１に示されているように、前記方法の実施形態における技術的ソリューションを実行するために使用されうるが、達成原理は類似しているため、ここでは重複して繰り返すことはしない。
【００９８】
図１０は、本発明におけるデータ送信装置の実施形態３の構造の概略図であり、図１０に示されているように、前記実施形態における装置は、受信モジュール２１と、送信モジュール２２とを具備し得、
前記受信モジュール２１は、アクセスポイントにより送信された指示フレームを受信するように構成されている。
【００９９】
前記送信モジュール２２は、前記指示フレームに従って、レガシーＳＴＡにより占有されていないセカンダリチャネル上でデータを送信するように構成されている。
【０１００】
オプションとして、前記受信モジュール２１は、前記レガシーＳＴＡにより占有されていないセカンダリチャネル上で、前記アクセスポイントにより送信されたスケジューリングフレームを受信するように特に構成され、前記送信モジュール２２は、前記スケジューリングフレームに従って、前記レガシーＳＴＡにより占有されていないセカンダリチャネル上でデータを送信するように特に構成されている。
【０１０１】
前記受信モジュール２１は、前記レガシーＳＴＡにより占有されていないセカンダリチャネル上で、前記新しいステーションの識別子を含み、前記アクセスポイントにより送信されたスケジューリングフレームを受信するように特に構成され、前記送信モジュール２２は、識別子に従って新しいステーションがスケジュールされているか否かを判別した後に、レガシーＳＴＡにより占有されていないセカンダリチャネル上でデータを送信するように決定するように特に構成されており、又は、前記受信モジュール２１は、前記スケジュールできる新しいステーションのグループの識別子を含み、前記アクセスポイントにより送信されたスケジューリングフレームを受信するように特に構成されており、前記送信モジュール２２は、データ送信要求に従って、前記レガシーＳＴＡにより占有されていないセカンダリチャネル上でデータを送信するように特に構成されている。
【０１０２】
オプションとして、前記受信モジュール２１は、前記プライマリチャネルを含んでいる前記チャネル上で、前記アクセスポイントにより送信された新しいステーションスケジューリング指示情報を含んでいるＣＴＳフレームを受信するように特に構成され、前記送信モジュール２２は、前記ＣＴＳフレームに従って、前記レガシーＳＴＡにより占有されていないセカンダリチャネル上でデータを送信するように特に構成されている。前記新しいステーションスケジューリング指示情報は、前記スケジュールされる前記新しいステーションの識別子、又は、前記スケジュールできる新しいステーションのグループの識別子、又は、前記指示識別サイトの指示状態情報を含む。
【０１０３】
前述の実施形態において、指示フレームに従って、レガシーＳＴＡにより占有されていないセカンダリチャネル上でデータを送信した後、受信モジュール２１は、前記レガシーＳＴＡにより占有されていないセカンダリチャネル上で、アクセスポイントにより送信された第２アクノリッジフレームを受信するようにさらに構成されており、ここで、前記指示フレーム及び／又は前記第２アクノリッジフレームは、ＯＦＤＭＡ方式で送信される。
【０１０４】
前記送信モジュール２２は、ＯＦＤＭＡ方式で、前記指示フレームに従って、前記レガシーＳＴＡにより占有されていないセカンダリチャネル上で、データを送信するように特に構成されている。
【０１０５】
前記実施形態における装置は、図２に示されているように、前記方法の実施形態における技術的ソリューションを実行するために使用されうるが、達成原理は類似しているため、ここでは重複して繰り返すことはしない。
【０１０６】
前記実施形態により提供されるデータ送信装置によると、互換モード下のアップリンク・ＯＦＤＭＡデータ送信が達成され、新しいステーションが、レガシーＳＴＡにより占有されていないセカンダリチャネル上でデータが送信でき、前記レガシーＳＴＡのデータ送信に起因する帯域幅の浪費の問題を解消するように、受信モジュールは、アクセスポイントにより送信された指示フレームを受信し、前記送信モジュールは、前記指示フレームに従って、前記レガシーＳＴＡにより占有されていないセカンダリチャネル上でデータを送信する。
【０１０７】
図１１は、本発明におけるデータ送信装置の実施形態４の構造の概略図であり、図１０に示されている本発明における装置の構造に基づいて、図１１に示されているように、前記指示フレームが、前記レガシーＳＴＡにより占有されている帯域幅と予約持続時間、及び／又は、前記新しいステーションにより使用されることが可能な帯域幅と送信持続時間をさらに含む場合、前記装置は、分析モジュール２３をさらに含み、
前記送信モジュール２２が、前記指示フレームに従って、前記レガシーＳＴＡにより占有されていないセカンダリチャネル上でデータを送信する前に、前記分析モジュール２３は、前記レガシーＳＴＡにより占有されている帯域幅と前記予約持続時間、及び／又は、前記新しいステーションにより使用されることが可能な前記帯域幅と前記送信持続時間を取得するために、前記指示フレームを分析するように構成されている。
【０１０８】
前記送信モジュール２２は、前記レガシーＳＴＡにより占有されている前記取得された帯域幅と前記予約持続時間、及び／又は、前記新しいステーションにより使用されることが可能な前記帯域幅と前記送信持続時間に従って、前記レガシーＳＴＡにより占有されていないセカンダリチャネル上でデータを送信するように特に構成されている。
【０１０９】
前記実施形態における装置は、図２に示されているように、前記方法の実施形態における技術的ソリューションを実行するために使用されうるが、達成原理は類似しているため、ここでは重複して繰り返すことはしない。
【０１１０】
図１２は、本発明におけるデータ送信装置の実施形態５の構造の概略図であり、図１２に示されているように、前記実施形態における装置は、監視モジュール２４と、分析モジュール２５と、送信モジュール２６と、を含み、
前記監視モジュール２４は、レガシーＳＴＡにより送信されたデータフレームを監視するように構成されている。
【０１１１】
前記分析モジュール２５は、前記レガシーＳＴＡの前記送信帯域幅と前記送信持続時間を取得するために、前記レガシーＳＴＡにより送信された前記データフレームのフレームヘッダを分析するように構成されている。
【０１１２】
前記送信モジュール２６は、前記取得された送信帯域幅と前記送信持続時間に従って、前記レガシーＳＴＡにより占有されていないセカンダリチャネル上でデータを送信するように構成され、データ送信の終了時間は、前記レガシーＳＴＡの送信終了時間を越えなくてよい。
【０１１３】
前記実施形態における装置は、図５に示されているように、前記方法の実施形態における技術的ソリューションを実行するために使用されうるが、達成原理は類似しているため、ここでは重複して繰り返すことはしない。
【０１１４】
本発明の実施形態におけるデータ送信システムは、図８から図９及び図１０から図１２にそれぞれ示されているように、データ送信装置を備えているが、図７に示されているように、前記方法の実施形態における技術的ソリューションを実行するために使用されうるが、達成原理は類似しているため、ここでは重複して繰り返すことはしない。
【０１１５】
図１３は、本発明におけるデータ送信装置の実施形態６の構造の概略図であり、図１３に示されているように、前記実施形態における装置は、受信器３１と、送信器３２と、を具備し、
前記受信器３１は、プライマリチャネルを含んでいるチャネル上で、レガシーＳＴＡにより送信された送信要求(RTS)フレームを受信するように構成されており、
前記レガシーＳＴＡが、前記指示フレームに従って、前記プライマリチャネルを含んでいる前記チャネル上で、データを送信することをイネーブルし、前記新しいステーションが、前記指示フレームに従って、前記レガシーＳＴＡにより占有されていないセカンダリチャネル上で、データを送信することをイネーブルするために、前記送信器３２は、レガシーＳＴＡと新しいステーションに指示フレームを送信するように構成されている。
【０１１６】
前記実施形態により提供されるデータ送信装置によると、互換モード下のアップリンク・ＯＦＤＭＡデータ送信を達成し、レガシーＳＴＡのデータ送信に起因する帯域幅の浪費の問題を解消するように、前記レガシーＳＴＡが、指示フレームに従って、プライマリチャネルを含んでいるチャネル上でデータを送信することをイネーブルし、新しいステーションが、前記指示フレームに従って、前記レガシーＳＴＡにより占有されていないセカンダリチャネル上で、データを送信することをイネーブルするために、前記受信器は、前記プライマリチャネルを含んでいる前記チャネル上で、前記レガシーＳＴＡにより送信されたＲＴＳフレームを受信し、送信器は、前記レガシーＳＴＡと前記新しいステーションに前記指示フレームを送信する。
【０１１７】
図１３に示されている装置の構造に基づいて、さらに、前記レガシーＳＴＡが、前記ＣＴＳフレームに従って、前記プライマリチャネルを含んでいる前記チャネル上で、前記データを送信することをイネーブルするために、送信器３２は、前記プライマリチャネルを含んでいる前記チャネル上で、前記レガシーＳＴＡに、ＣＴＳフレームを送信するようにさらに構成されている。
【０１１８】
前記新しいステーションが、前記スケジューリングフレームに従って、前記レガシーＳＴＡにより占有されていないセカンダリチャネル上で、前記データを送信することをイネーブルするために、前記送信器３２は、前記レガシーＳＴＡにより占有されていないセカンダリチャネル上で、スケジューリングフレームを前記新しいステーションに送信するように特に構成されている。
【０１１９】
前記送信器３２は、前記識別子に従って前記新しいステーションがスケジュールされているか否かを判別した後に、前記新しいステーションが、前記レガシーＳＴＡにより占有されていないセカンダリチャネル上で、前記データを送信することをイネーブルするために、前記レガシーＳＴＡにより占有されていないセカンダリチャネル上で、前記新しいステーションに、前記新しいステーションの識別子を含んでいる前記スケジューリングフレームを送信し、又は新しいステーションの前記グループが、データ送信要求に従って、前記レガシーＳＴＡにより占有されていないセカンダリチャネル上で、前記データを送信することをイネーブルするために、前記新しいステーションに前記スケジュールできる新しいステーションのグループの識別子を含んでいる前記スケジューリングフレームを送信するように特に構成されている。
【０１２０】
前述の実施形態において、前記レガシーＳＴＡが、前記ＣＴＳフレームに従って、前記プライマリチャネルを含んでいる前記チャネル上で、前記データを送信することをイネーブルし、前記新しいステーションが、前記ＣＴＳフレームに従って、前記レガシーＳＴＡにより占有されていないセカンダリチャネル上で、前記データを送信することをイネーブルするために、前記送信器３２は、前記プライマリチャネルを含んでいる前記チャネル上で、前記レガシーＳＴＡと前記新しいステーションに新しいステーションスケジューリング指示情報を含んでいるＣＴＳフレームを送信するように特に構成されている。前記新しいステーションスケジューリング指示情報は、前記スケジュールされる前記新しいステーションの識別子、又は、前記スケジュールできる新しいステーションのグループの識別子、又は、前記指示識別サイトの指示状態情報を含む。
【０１２１】
オプションとして、前記レガシーＳＴＡと前記新しいステーションにデータを送信した後、前記送信器３２は、前記プライマリチャネルを含んでいるチャネル上で、前記レガシーＳＴＡに第１アクノリッジフレームを送信し、ここで、前記第１アクノリッジフレームは、前記レガシーＳＴＡのデータが正しく受信されたか否かを示すために使用される情報を含み、前記レガシーＳＴＡにより占有されていないセカンダリチャネル上で、前記新しいステーションに第２アクノリッジフレームを送信し、ここで、前記第２アクノリッジフレームは、前記新しいステーションの前記データが正しく受信されたか否かを示すために使用される情報を含むようにさらに構成されている。前記指示フレーム及び／又は前記アクノリッジフレームは、ＯＦＤＭＡ方式で送信される。
【０１２２】
前述の実施形態において、前記指示フレームは、前記レガシーＳＴＡにより占有されている帯域幅と予約持続時間、及び／又は、前記新しいステーションにより使用されることが可能な帯域幅と送信持続時間をさらに含む。
【０１２３】
前記実施形態における装置は、図１に示されているように、前記方法の実施形態における技術的ソリューションを実行するために使用されうるが、達成原理は類似しているため、ここでは重複して繰り返すことはしない。
【０１２４】
図１４は、本発明におけるデータ送信装置の実施形態７の構造の概略図であり、図１４に示されているように、前記実施形態における装置は、受信器４１と、送信器４２と、を含んでよく、
前記受信器４１は、アクセスポイントにより送信された指示フレームを受信するように構成されている。
【０１２５】
前記送信器４２は、前記指示フレームに従って、レガシーＳＴＡにより占有されていないセカンダリチャネル上で、データを送信するように構成されている。
【０１２６】
オプションとして、前記受信器４１は、前記レガシーＳＴＡにより占有されていないセカンダリチャネル上で、前記アクセスポイントにより送信されたスケジューリングフレームを受信するように特に構成されており、前記送信器４２は、前記スケジューリングフレームに従って、前記レガシーＳＴＡにより占有されていないセカンダリチャネル上でデータを送信するように特に構成されている。
【０１２７】
前記受信器４１は、前記レガシーＳＴＡにより占有されていないセカンダリチャネル上で、前記新しいステーションの識別子を含み、前記アクセスポイントにより送信されたスケジューリングフレームを受信するように特に構成されており、前記識別子に従って前記新しいステーションがスケジュールされているか否かを判別した後に、前記送信器４２は、前記レガシーＳＴＡにより占有されていないセカンダリチャネル上でデータを送信することを決定するように特に構成されているか、又は、前記受信器４１は、前記スケジュールできる新しいステーションのグループの識別子を含み、前記アクセスポイントにより送信されたスケジューリングフレームを受信するように特に構成されており、前記送信器４２は、データ送信要求に従って、前記レガシーＳＴＡにより占有されていないセカンダリチャネル上でデータを送信するように特に構成されている。
【０１２８】
オプションとして、前記受信器４１は、前記プライマリチャネルを含んでいる前記チャネル上で、前記アクセスポイントにより送信された新しいステーションスケジューリング指示情報を含んでいるＣＴＳフレームを受信するように特に構成され、前記送信器４２は、前記ＣＴＳフレームに従って、前記レガシーＳＴＡにより占有されていないセカンダリチャネル上でデータを送信するように特に構成されている。前記新しいステーションスケジューリング指示情報は、前記スケジュールされる前記新しいステーションの識別子、又は、前記スケジュールできる新しいステーションのグループの識別子、又は、前記指示識別サイトの指示状態情報を含む。
【０１２９】
前述の実施形態において、前記受信器４１は、前記指示フレームに従って、前記レガシーＳＴＡにより占有されていないセカンダリチャネル上でデータを送信した後、前記レガシーＳＴＡにより占有されていないセカンダリチャネル上で、前記アクセスポイントにより送信された第２アクノリッジフレームを受信するようにさらに構成されており、前記指示フレーム及び／又は前記第２アクノリッジフレームは、ＯＦＤＭＡ方式で送信される。
【０１３０】
前記送信器４２は、ＯＦＤＭＡ方式で、前記指示フレームに従って、前記レガシーＳＴＡにより占有されていないセカンダリチャネル上で、データを送信するように特に構成されている。
【０１３１】
前記実施形態における装置は、図２に示されているように、前記方法の実施形態における技術的ソリューションを実行するために使用されうるが、達成原理は類似しているため、ここでは重複して繰り返すことはしない。
【０１３２】
前記実施形態により提供されるデータ送信装置によると、互換モード下のアップリンク・ＯＦＤＭＡデータ送信が達成され、前記新しいステーションが、前記レガシーＳＴＡにより占有されていないセカンダリチャネル上でデータを送信でき、前記レガシーＳＴＡのデータ送信に起因する帯域幅の浪費の問題を解消するように、前記受信器は、前記アクセスポイントにより送信された指示フレームを受信し、前記送信器は、前記指示フレームに従って、前記レガシーＳＴＡにより占有されていないセカンダリチャネル上で、データを送信する。
【０１３３】
図１５は、本発明におけるデータ送信装置の実施形態８の構造の概略図であり、図１４に示されている装置の構造に基づいて、図１５に示されているように、前記指示フレームが、前記レガシーＳＴＡにより占有されている帯域幅と予約持続時間をさらに含む場合、前記実施形態における装置は、第１プロセッサ４３をさらに含み、
前記送信器４２が、前記指示フレームに従って、前記レガシーＳＴＡにより占有されていないセカンダリチャネル上でデータを送信する前に、第１プロセッサ４３は、前記レガシーＳＴＡにより占有されている帯域幅と前記予約持続時間を取得するために、前記指示フレームを分析するように構成されている。
【０１３４】
前記送信器４２は、前記レガシーＳＴＡにより占有されている前記取得された帯域幅と前記予約持続時間に従って、前記レガシーＳＴＡにより占有されていないセカンダリチャネル上でデータを送信するように特に構成されている。
【０１３５】
前記実施形態における装置は、図２に示されているように、前記方法の実施形態における技術的ソリューションを実行するために使用されうるが、達成原理は類似しているため、ここでは重複して繰り返すことはしない。
【０１３６】
図１６は、本発明におけるデータ送信装置の実施形態９の構造の概略図であり、図１６に示されているように、前記実施形態における装置は、第２プロセッサ４５と送信器４６と、を具備し、
前記第２プロセッサ４５は、レガシーＳＴＡにより送信されたデータフレームを監視するように構成されている。
【０１３７】
前記第２プロセッサ４５は、前記レガシーＳＴＡの前記送信帯域幅と前記送信持続時間を取得するために、前記レガシーＳＴＡにより送信された前記データフレームのフレームヘッダを分析するようにさらに構成されている。
【０１３８】
前記送信器４６は、前記取得された送信帯域幅と前記送信持続時間に従って、前記レガシーＳＴＡにより占有されていないセカンダリチャネル上でデータを送信するように構成されており、データ送信の終了時間は、前記レガシーＳＴＡの送信終了時間を越えなくてよい。
【０１３９】
前記実施形態における装置は、図５に示されているように、前記方法の実施形態における技術的ソリューションを実行するために使用されうるが、達成原理は類似しているため、ここでは重複して繰り返すことはしない。
【０１４０】
本発明の実施形態におけるデータ送信システムは、図１３及び図１４から図１６のいずれにも示されているようにデータ送信装置を具備し、図６に示されているように、前記方法の実施形態において、技術的ソリューションを実行するために使用され得るが、達成原理は類似しているため、ここでは重複して繰り返すことはしない。
【０１４１】
最後に、以上説明した実施形態は、本発明の技術的ソリューションを単に例証するために使用されており、それらを限定するものではなく、本発明が、先の実施形態に関連して詳細に説明されてきたが、当業者であれば前記実施形態において記載されている技術的ソリューションを修正、又は技術的特徴の一部又はすべてを等価な置き換えをしうることは、理解し得、これらの修正又は置き換えは、本発明の実施形態の技術的ソリューションの範囲から逸脱する対応する技術的ソリューションの本質にはならないことに留意すべきである。
【符号の説明】
【０１４２】
１１    受信モジュール
１２    送信モジュール
１２１  第１送信ユニット
１２２  第２送信ユニット
２１    受信モジュール
２２    送信モジュール
２３    分析モジュール
２４    監視モジュール
２５    分析モジュール
２６    送信モジュール
３１    受信器
３２    送信器
４１    受信器
４２    送信器
４３    第１プロセッサ
４５    第２プロセッサ
４６    送信器
【図１】
0006440126.tif 000002
【図２】
0006440126.tif 000003
【図３】
0006440126.tif 000004
【図４】
0006440126.tif 000005
【図５】
0006440126.tif 000006
【図６】
0006440126.tif 000007
【図７】
0006440126.tif 000008
【図８】
0006440126.tif 000009
【図９】
0006440126.tif 000010
【図１０】
0006440126.tif 000011
【図１１】
0006440126.tif 000012
【図１２】
0006440126.tif 000013
【図１３】
0006440126.tif 000014
【図１４】
0006440126.tif 000015
【図１５】
0006440126.tif 000016
【図１６】
0006440126.tif 000017